(57)【要約】      （修正有）【課題】１つのリレーの接点にアークが発生する頻度を低減させて、リレーの寿命を延ばす電力供給装置及び画像形成装置を提供する。【解決手段】リレーＲＬ１と、リレーＲＬ２と、リレーＲＬ１及びリレーＲＬ２を非導通状態から導通状態に制御する起動シーケンスと、リレーＲＬ１及びリレーＲＬ２を導通状態から非導通状態に制御する停止シーケンスを実行する制御部と、制御部により実行された起動シーケンス及び停止シーケンスに関する情報を記憶する不揮発性メモリと、を備える。制御部は、電力供給装置が起動又は停止される際に、不揮発性メモリに記憶された情報に基づいて、起動シーケンス又は停止シーケンスを切り替えるＳ４００３、Ｓ４００４、Ｓ４１０４。【選択図】図４
2016073015.tif 000002
【特許請求の範囲】
【請求項１】
負荷に電力を供給する電力供給装置であって、
交流電源のライブラインに接続された少なくとも一つの第一のリレーと、
前記交流電源のニュートラルラインに接続された少なくとも一つの第二のリレーと、
前記第一のリレー及び前記第二のリレーを非導通状態から導通状態に制御する起動シーケンスと、前記第一のリレー及び前記第二のリレーを導通状態から非導通状態に制御する停止シーケンスを実行する制御手段と、
前記制御手段により実行された前記起動シーケンス及び前記停止シーケンスに関する情報を記憶する記憶手段と、
を備え、
前記制御手段は、前記電力供給装置が起動又は停止される際に、前記記憶手段に記憶された前記情報に基づいて、前記起動シーケンス又は前記停止シーケンスを切り替えることを特徴とする電力供給装置。
【請求項２】
前記制御手段は、前記起動シーケンスとして、
前記第二のリレーを導通状態にした後、前記第一のリレーを導通状態にする第一の起動シーケンスと、
前記第一のリレーを導通状態にした後、前記第二のリレーを導通状態にする第二の起動シーケンスと、を実行することが可能であることを特徴とする請求項１に記載の電力供給装置。
【請求項３】
前記制御手段は、前記電力供給装置が起動される際に、前記記憶手段に前記第一の起動シーケンスに関する情報が記憶されていた場合には、前記第二の起動シーケンスを実行することを特徴とする請求項２に記載の電力供給装置。
【請求項４】
前記制御手段は、前記電力供給装置が起動される際に、前記記憶手段に前記第二の起動シーケンスに関する情報が記憶されていた場合には、前記第一の起動シーケンスを実行することを特徴とする請求項２に記載の電力供給装置。
【請求項５】
前記制御手段は、前記第一の起動シーケンスにおいて前記第一のリレーの故障検知を行い、前記第二の起動シーケンスにおいて前記第二のリレーの故障検知を行うことを特徴とする請求項２乃至４のいずれか１項に記載の電力供給装置。
【請求項６】
前記制御手段は、前記停止シーケンスとして、
前記第一のリレーを非導通状態にした後、前記第二のリレーを非導通状態にする第一の停止シーケンスと、
前記第二のリレーを非導通状態にした後、前記第一のリレーを非導通状態にする第二の停止シーケンスと、を実行することが可能であることを特徴とする請求項１に記載の電力供給装置。
【請求項７】
前記制御手段は、前記電力供給装置が停止される際に、前記記憶手段に前記第一の停止シーケンスに関する情報が記憶されていた場合には、前記第二の停止シーケンスを実行することを特徴とする請求項６に記載の電力供給装置。
【請求項８】
前記制御手段は、前記電力供給装置が停止される際に、前記記憶手段に前記第二の停止シーケンスに関する情報が記憶されていた場合には、前記第一の停止シーケンスを実行することを特徴とする請求項６に記載の電力供給装置。
【請求項９】
前記制御手段は、前記第一の停止シーケンスにおいて前記第一のリレーの故障検知を行い、前記第二の停止シーケンスにおいて前記第二のリレーの故障検知を行うことを特徴とする請求項６乃至８のいずれか１項に記載の電力供給装置。
【請求項１０】
負荷に電力を供給する電力供給装置であって、
交流電源のライブラインに接続された少なくとも一つの第一のリレーと、
前記交流電源のニュートラルラインに接続された少なくとも一つの第二のリレーと、
前記第一のリレー及び前記第二のリレーを非導通状態から導通状態に制御する起動シーケンスを実行する制御手段と、
前記制御手段により実行された前記起動シーケンスに関する情報を記憶する記憶手段と、
を備え、
前記制御手段は、前記電力供給装置が起動される際に、前記記憶手段に記憶された前記情報に基づいて、前記起動シーケンスを切り替えることを特徴とする電力供給装置。
【請求項１１】
前記制御手段は、前記起動シーケンスとして、
前記第二のリレーを導通状態にした後、前記第一のリレーを導通状態にする第一の起動シーケンスと、
前記第一のリレーを導通状態にした後、前記第二のリレーを導通状態にする第二の起動シーケンスと、を実行することが可能であることを特徴とする請求項１０に記載の電力供給装置。
【請求項１２】
前記制御手段は、前記電力供給装置が起動される際に、前記記憶手段に前記第一の起動シーケンスに関する情報が記憶されていた場合には、前記第二の起動シーケンスを実行することを特徴とする請求項１１に記載の電力供給装置。
【請求項１３】
前記制御手段は、前記電力供給装置が起動される際に、前記記憶手段に前記第二の起動シーケンスに関する情報が記憶されていた場合には、前記第一の起動シーケンスを実行することを特徴とする請求項１１に記載の電力供給装置。
【請求項１４】
前記制御手段は、前記第一の起動シーケンスにおいて前記第一のリレーの故障検知を行い、前記第二の起動シーケンスにおいて前記第二のリレーの故障検知を行うことを特徴とする請求項１１乃至１３のいずれか１項に記載の電力供給装置。
【請求項１５】
負荷に電力を供給する電力供給装置であって、
交流電源のライブラインに接続された少なくとも一つの第一のリレーと、
前記交流電源のニュートラルラインに接続された少なくとも一つの第二のリレーと、
前記第一のリレー及び前記第二のリレーを導通状態から非導通状態に制御する停止シーケンスを実行する制御手段と、
前記制御手段により実行された前記停止シーケンスに関する情報を記憶する記憶手段と、
を備え、
前記制御手段は、前記電力供給装置が停止される際に、前記記憶手段に記憶された前記情報に基づいて、前記停止シーケンスを切り替えることを特徴とする電力供給装置。
【請求項１６】
前記制御手段は、前記停止シーケンスとして、
前記第一のリレーを非導通状態にした後、前記第二のリレーを非導通状態にする第一の停止シーケンスと、
前記第二のリレーを非導通状態にした後、前記第一のリレーを非導通状態にする第二の停止シーケンスと、を実行することが可能であることを特徴とする請求項１５に記載の電力供給装置。
【請求項１７】
前記制御手段は、前記電力供給装置が停止される際に、前記記憶手段に前記第一の停止シーケンスに関する情報が記憶されていた場合には、前記第二の停止シーケンスを実行することを特徴とする請求項１６に記載の電力供給装置。
【請求項１８】
前記制御手段は、前記電力供給装置が停止される際に、前記記憶手段に前記第二の停止シーケンスに関する情報が記憶されていた場合には、前記第一の停止シーケンスを実行することを特徴とする請求項１６に記載の電力供給装置。
【請求項１９】
前記制御手段は、前記第一の停止シーケンスにおいて前記第一のリレーの故障検知を行い、前記第二の停止シーケンスにおいて前記第二のリレーの故障検知を行うことを特徴とする請求項１６乃至１８のいずれか１項に記載の電力供給装置。
【請求項２０】
前記負荷に電力の供給を行う供給手段と、
前記第一のリレー又は前記第二のリレーの故障を検知する検知手段と、
を備え、
前記制御手段は、前記故障検知を行う際には、前記供給手段により前記負荷に電力を供給させている状態で、前記検知手段により前記第一のリレー又は前記第二のリレーの故障検知を行うことを特徴とする請求項５、９、１４、１９のいずれか１項に記載の電力供給装置。
【請求項２１】
前記検知手段は、前記負荷に流れる電流を検知する電流検知手段であることを特徴とする請求項２０に記載の電力供給装置。
【請求項２２】
前記検知手段は、前記負荷に印加される電圧を検知する電圧検知手段であることを特徴とする請求項２０に記載の電力供給装置。
【請求項２３】
前記検知手段は、前記交流電源の交流電圧のゼロクロス点を検知するゼロクロス検知手段であることを特徴とする請求項２０に記載の電力供給装置。
【請求項２４】
前記第一のリレー及び前記第二のリレーを介して前記ライブラインと前記ニュートラルラインの間に接続されたアクロス・ザ・ラインコンデンサを備えることを特徴とする請求項１乃至２３のいずれか１項に記載の電力供給装置。
【請求項２５】
記録紙に画像を形成する画像形成手段と、
前記画像形成手段により記録紙上に形成された画像を定着する定着手段と、
前記定着手段に電力を供給する請求項１乃至２４のいずれか１項に記載の電力供給装置と、
を備えることを特徴とする画像形成装置。
【請求項２６】
記録紙に画像を形成する画像形成手段と、
前記画像形成手段により記録紙上に形成された画像を定着する定着手段と、
前記定着手段に電力を供給する請求項１乃至９のいずれか１項に記載の電力供給装置と、
を備え、
前記制御手段は、
前記画像形成手段により画像形成を行うプリント状態への移行を待機しているスタンバイ状態よりも消費電力が低いスリープ状態から前記スタンバイ状態へ移行する際に前記起動シーケンスを実行し、
前記スタンバイ状態から前記スリープ状態へ移行する際に前記停止シーケンスを実行することを特徴とする画像形成装置。
【請求項２７】
記録紙に画像を形成する画像形成手段と、
前記画像形成手段により記録紙上に形成された画像を定着する定着手段と、
前記定着手段に電力を供給する請求項１０乃至１４のいずれか１項に記載の電力供給装置と、
を備え、
前記制御手段は、
前記画像形成手段により画像形成を行うプリント状態への移行を待機しているスタンバイ状態よりも消費電力が低いスリープ状態から前記スタンバイ状態へ移行する際に前記起動シーケンスを実行することを特徴とする画像形成装置。
【請求項２８】
記録紙に画像を形成する画像形成手段と、
前記画像形成手段により記録紙上に形成された画像を定着する定着手段と、
前記定着手段に電力を供給する請求項１５乃至１９のいずれか１項に記載の電力供給装置と、
を備え、
前記制御手段は、
前記画像形成手段により画像形成を行うプリント状態への移行を待機しているスタンバイ状態から前記スタンバイ状態よりも消費電力が低いスリープ状態へ移行する際に前記停止シーケンスを実行することを特徴とする画像形成装置。
【発明の詳細な説明】
【技術分野】
【０００１】
本発明は、電力供給装置及び画像形成装置に関し、特に、電子写真複写機、電子写真プリンタ等の画像形成装置に搭載される定着装置の制御に利用することで好適な、電力供給装置に関する。
【背景技術】
【０００２】
画像形成装置に用いる定着装置内部の加熱装置に電力を供給する電力供給装置において、加熱装置への電力の供給を遮断する電磁継電器（以下、リレーという）が広く用いられている。このような電力供給装置では、例えば特許文献１のように、交流電源のライブとニュートラルの双方の電源ラインにリレーを設ける安全回路が広く知られている。
【先行技術文献】
【特許文献】
【０００３】
【特許文献１】特開２０１２−０４２５７３号公報
【発明の概要】
【発明が解決しようとする課題】
【０００４】
しかし、交流電源の電源ラインにリレーを設ける安全回路では、リレーが導通するたびに負荷への突入電流が流れ、リレーの接点にアークが発生する。従来の制御では、１つのリレーについてアークが発生する頻度が多くなってしまうため、リレー及び電源供給装置の長寿命化に対する対応が必要となっている。
【０００５】
本発明は、このような状況のもとでなされたもので、リレーの接点にアークが発生する頻度を低減させて、リレーの寿命を延ばすことを目的とする。
【課題を解決するための手段】
【０００６】
上述した課題を解決するために、本発明は、以下の構成を備える。
【０００７】
（１）負荷に電力を供給する電力供給装置であって、交流電源のライブラインに接続された少なくとも一つの第一のリレーと、前記交流電源のニュートラルラインに接続された少なくとも一つの第二のリレーと、前記第一のリレー及び前記第二のリレーを非導通状態から導通状態に制御する起動シーケンスと、前記第一のリレー及び前記第二のリレーを導通状態から非導通状態に制御する停止シーケンスを実行する制御手段と、前記制御手段により実行された前記起動シーケンス及び前記停止シーケンスに関する情報を記憶する記憶手段と、を備え、前記制御手段は、前記電力供給装置が起動又は停止される際に、前記記憶手段に記憶された前記情報に基づいて、前記起動シーケンス又は前記停止シーケンスを切り替えることを特徴とする電力供給装置。
【０００８】
（２）負荷に電力を供給する電力供給装置であって、交流電源のライブラインに接続された少なくとも一つの第一のリレーと、前記交流電源のニュートラルラインに接続された少なくとも一つの第二のリレーと、前記第一のリレー及び前記第二のリレーを非導通状態から導通状態に制御する起動シーケンスを実行する制御手段と、前記制御手段により実行された前記起動シーケンスに関する情報を記憶する記憶手段と、を備え、前記制御手段は、前記電力供給装置が起動される際に、前記記憶手段に記憶された前記情報に基づいて、前記起動シーケンスを切り替えることを特徴とする電力供給装置。
【０００９】
（３）負荷に電力を供給する電力供給装置であって、交流電源のライブラインに接続された少なくとも一つの第一のリレーと、前記交流電源のニュートラルラインに接続された少なくとも一つの第二のリレーと、前記第一のリレー及び前記第二のリレーを導通状態から非導通状態に制御する停止シーケンスを実行する制御手段と、前記制御手段により実行された前記停止シーケンスに関する情報を記憶する記憶手段と、を備え、前記制御手段は、前記電力供給装置が停止される際に、前記記憶手段に記憶された前記情報に基づいて、前記停止シーケンスを切り替えることを特徴とする電力供給装置。
【００１０】
（４）記録紙に画像を形成する画像形成手段と、前記画像形成手段により記録紙上に形成された画像を定着する定着手段と、前記定着手段に電力を供給する前記（１）乃至（３）のいずれか１項に記載の電力供給装置と、を備えることを特徴とする画像形成装置。
【００１１】
（５）記録紙に画像を形成する画像形成手段と、前記画像形成手段により記録紙上に形成された画像を定着する定着手段と、前記定着手段に電力を供給する前記（１）に記載の電力供給装置と、を備え、前記制御手段は、前記画像形成手段により画像形成を行うプリント状態への移行を待機しているスタンバイ状態よりも消費電力が低いスリープ状態から前記スタンバイ状態へ移行する際に前記起動シーケンスを実行し、前記スタンバイ状態から前記スリープ状態へ移行する際に前記停止シーケンスを実行することを特徴とする画像形成装置。
【００１２】
（６）記録紙に画像を形成する画像形成手段と、前記画像形成手段により記録紙上に形成された画像を定着する定着手段と、前記定着手段に電力を供給する前記（２）に記載の電力供給装置と、を備え、前記制御手段は、前記画像形成手段により画像形成を行うプリント状態への移行を待機しているスタンバイ状態よりも消費電力が低いスリープ状態から前記スタンバイ状態へ移行する際に前記起動シーケンスを実行することを特徴とする画像形成装置。
【００１３】
（７）記録紙に画像を形成する画像形成手段と、前記画像形成手段により記録紙上に形成された画像を定着する定着手段と、前記定着手段に電力を供給する前記（３）に記載の電力供給装置と、を備え、前記制御手段は、前記画像形成手段により画像形成を行うプリント状態への移行を待機しているスタンバイ状態から前記スタンバイ状態よりも消費電力が低いスリープ状態へ移行する際に前記停止シーケンスを実行することを特徴とする画像形成装置。
【発明の効果】
【００１４】
本発明によれば、１つのリレーの接点にアークが発生する頻度を低減させて、リレーの寿命を延ばすことができる。
【図面の簡単な説明】
【００１５】
【図１】実施例１、２の画像形成装置の概略図
【図２】実施例１の電力供給装置の回路図
【図３】実施例１の電力供給装置のリレー制御シーケンスの説明図
【図４】実施例１の電力供給装置のリレー制御を示すフローチャート
【図５】実施例２の電力供給装置の回路図
【図６】実施例２の電力供給装置のリレー制御シーケンスの説明図
【図７】実施例２の電力供給装置のリレー制御を示すフローチャート
【発明を実施するための形態】
【００１６】
［画像形成装置］
図１は、電子写真方式を用いた画像形成装置１０の断面図である。給紙カセット１１に積載された記録材である記録紙Ｐは、ピックアップローラ１２によって１枚だけ給紙カセット１１から給紙される。給紙された記録紙Ｐは、給紙ローラ１３によってレジストレーションローラ（以下、単にレジストローラという）１４に向けて搬送される。記録紙Ｐは、レジストローラ１４によって所定のタイミングでプロセスカートリッジ１５へ搬送される。プロセスカートリッジ１５は、帯電手段である帯電ローラ１６、現像手段である現像ローラ１７、クリーニング手段であるクリーナ１８、及び電子写真感光体である感光ドラム１９を有し、一体的に構成されている。プロセスカートリッジ１５は、公知である電子写真プロセスの一連の処理によって記録紙上に未定着のトナー像を形成する。
【００１７】
感光ドラム１９は帯電ローラ１６によって表面を一様に帯電された後、像露光手段であるスキャナユニット２１により画像信号に基づいた像露光が行われる。スキャナユニット２１内のレーザダイオード２２から出射されるレーザ光は、回転する回転多面鏡２３及び反射ミラー２４を経て主走査方向に走査される。尚、主走査方向とは、回転多面鏡２３の回転によってレーザ光が感光ドラム１９上を走査する方向であり、感光ドラム１９の回転軸方向でもある。また、レーザ光は、感光ドラム１９の回転により副走査方向に走査され、感光ドラム１９の表面上に二次元の静電潜像が形成される。尚、副走査方向とは、主走査方向に直交する方向であり、感光ドラム１９の回転方向でもある。
【００１８】
感光ドラム１９上に形成された静電潜像は、現像ローラ１７によってトナー像として可視化される。感光ドラム１９上のトナー像は、転写ローラ２０によってレジストローラ１４から搬送されてきた記録紙Ｐ上に転写される。続いて、トナー像が転写された記録紙Ｐは、定着装置１００に搬送されると定着装置１００内部の加熱部及び加圧部によって加熱加圧処理され、記録紙Ｐ上の未定着のトナー像が記録紙Ｐに定着される。記録紙Ｐは更に中間排紙ローラ２６、排紙ローラ２７によって画像形成装置１０の外に排出され、一連のプリント動作を終える。モータ３０は、定着装置１００を含む各ユニットに駆動力を与えている。
【００１９】
［定着装置］
定着装置１００は、後述する交流電源２０１から供給される電力の位相制御における基準（以下、ゼロクロスという）に基づき、位相制御、波数制御、又は位相制御波形を含む複数周期で制御する制御方法によって、電力制御が行われている。画像形成装置１０は、電力供給装置２００を備えている。商用電源等である交流電源２０１は、電力供給装置２００と接続されている。
【実施例１】
【００２０】
［電力供給装置］
図２は実施例１の電力供給装置２００を示す回路図である。電力供給装置２００は、定着装置１００内部の加熱装置として用いられる抵抗発熱体（以下、ヒータという）ＲＨ１を含む画像形成装置１０の不図示の電装部に電力の供給を行っている。本実施例では、ヒータＲＨ１が負荷装置に相当する。交流電源２０１は、伝送ラインであるライブ（ＬＩＶＥ）ラインとニュートラル（ＮＥＵＴＲＡＬ）ライン間に交流電圧を出力し、電力供給装置２００に交流電圧を供給している。電力供給装置２００の電源部２０５は、交流電源２０１から供給されている交流電圧をブリッジダイオードＢＤ１で全波整流し、コンデンサＣ３で平滑している。コンデンサＣ３で平滑された低い側の電位をＤＣＬ、高い側の電位をＤＣＨとする。コンバータ３００は絶縁型ＤＣ／ＤＣコンバータであり、一次側のコンデンサＣ３に充電された電圧から、二次側に所定の直流電圧Ｖ１を出力している。コンバータ３００は、一次側と二次側を絶縁する不図示のトランスを有し、トランスは一次巻線、二次巻線及び補助巻線を有している。コンバータ３００は、不図示の補助巻線から供給される補助巻線電圧Ｖ２を一次側に出力している。
【００２１】
（リレー）
交流電源２０１のライブライン及びニュートラルラインの双方には、リレーがそれぞれ接続されている。詳細には、交流電源２０１のライブラインには第一のリレーであるリレーＲＬ１が接続され、交流電源２０１のニュートラルラインには第二のリレーであるリレーＲＬ２が接続されている。電力供給装置２００は、リレーＲＬ１及びリレーＲＬ２のリレー制御手段として、リレーＲＬ１及びリレーＲＬ２の駆動回路であるトランジスタＱ１及びトランジスタＱ２を備えている。トランジスタＱ１は、ベース端子に後述する制御部１が接続され、コレクタ端子にリレーＲＬ１が接続され、エミッタ端子が接地されている。トランジスタＱ２は、ベース端子に後述する制御部１が接続され、コレクタ端子にリレーＲＬ２が接続され、エミッタ端子が接地されている。
【００２２】
また、電力供給装置２００は、駆動回路の制御を行う演算制御手段である制御部１を備えている。制御部１は、ＣＰＵ１ａ、ＲＯＭ１ｂ、ＲＡＭ１ｃ、不揮発性メモリ１ｄを有している。ＣＰＵ１ａは、ＲＯＭ１ｂに記憶された各種プログラムに従って、ＲＡＭ１ｃを作業領域として使用しながら、電力供給装置２００の各部を制御する。また、ＣＰＵ１ａは、電源が切断された後も情報を保持できる記憶手段である不揮発性メモリ１ｄに種々の情報を記憶できる構成となっている。
【００２３】
制御部１がハイレベルのＱ１駆動信号を出力すると、トランジスタＱ１のベース端子に電流が流れ、トランジスタＱ１が導通状態となる。トランジスタＱ１が導通状態となるとコンバータ３００から供給される二次側電源の電圧である直流電圧Ｖ１がリレーＲＬ１の二次側コイルに印加され電流が流れる。リレーＲＬ１の二次側コイルに電流が流れると、リレーＲＬ１の一次側接点が導通状態となる。また、制御部１がローレベルのＱ１駆動信号を出力すると、トランジスタＱ１のベース端子に電流が流れなくなり、トランジスタＱ１が非導通状態となる。トランジスタＱ１が非導通状態となると直流電圧Ｖ１がリレーＲＬ１の二次側コイルに印加されず電流が流れなくなる。リレーＲＬ１の二次側コイルに電流が流れなくなると、リレーＲＬ１の一次側接点が非導通状態となる。リレーＲＬ２についても同様に、制御部１が出力するＱ２駆動信号によりトランジスタＱ２を制御することで、リレーＲＬ２が制御される。
【００２４】
制御部１は、後述するリレーＲＬ１及びリレーＲＬ２の制御シーケンスについて、どの制御シーケンスを実行したかの履歴を不揮発性メモリ１ｄに記憶する。また、制御部１は、どの制御シーケンスを選択するかを決定する選択手段としても機能する。更に、制御部１は、後述する双方向サイリスタＱ３を制御する電力制御手段としても機能し、図１の画像形成装置１０の制御も行う。制御部１によるリレー制御の詳細は、後述する。
【００２５】
交流電源２０１の伝送ライン間に、リレーＲＬ１及びリレーＲＬ２を介してアクロス・ザ・ラインコンデンサ（以下、Ｘコンデンサという）Ｃ１が接続されている。このようにＸコンデンサＣ１を接続することで、画像形成装置１０への電力供給が停止された状態（以下、電源非導通時という）で、リレーＲＬ１及びリレーＲＬ２を非導通状態にしてＸコンデンサＣ１への経路を遮断することができる。また、画像形成装置１０による画像形成動作（プリント動作）等を行わないため、スリープ状態でも、リレーＲＬ１及びリレーＲＬ２を非導通状態にしてＸコンデンサＣ１への経路を遮断することができる。ここで、スリープ状態とは、プリント状態やスリープ状態に比較して消費電力が低い低消費電力状態である。このようにＸコンデンサＣ１への経路を遮断することにより、ＸコンデンサＣ１の消費電力を削減することができる。
【００２６】
（電流検知回路）
リレーＲＬ１及びリレーＲＬ２との伝送ライン間に流れる電流を検知する状態検知手段であるカレントトランスＣＴ１及び電流検知回路２０３は、交流電源２０１からヒータＲＨ１に流れる電流を検知する電流検知手段である。カレントトランスＣＴ１と電流検知回路２０３の動作について説明する。カレントトランスＣＴ１は一次側の巻線に流れる電流に応じた電流が二次側の巻線に発生する。電流検知回路２０３は、カレントトランスＣＴ１の二次側の巻線に発生した電流を検知することにより電流検知を行い、制御部１へ検知した電流値を出力する。後述するように、本実施例では、カレントトランスＣＴ１及び電流検知回路２０３は、リレーＲＬ１及びリレーＲＬ２の故障検知手段としても機能する。
【００２７】
（ゼロクロス検知回路）
ゼロクロス検知回路２０４は交流電源２０１のゼロクロス検知手段である。ゼロクロス検知回路２０４の動作について説明する。交流電源２０１から供給されるニュートラルラインの電位がライブラインの電位より低い場合、抵抗Ｒ１０を介してゼロクロス検知回路２０４にライブラインからニュートラルライン方向に電流が流れる。抵抗Ｒ１０から供給された電流が、ダイオードＤ１を介してフォトカプラＰＣ１の一次側ダイオードに流れる。フォトカプラＰＣ１の一次側ダイオードに流れた電流は抵抗Ｒ９を介してニュートラルラインに流れる。
【００２８】
フォトカプラＰＣ１の一次側ダイオードに電流が流れると、フォトカプラＰＣ１の二次側トランジスタは導通状態となる。抵抗Ｒ１２はフォトカプラＰＣ１の誤動作防止抵抗である。フォトカプラＰＣ１の二次側トランジスタが導通状態となると、ゼロクロス信号（図中、Ｚｅｒｏｘ信号と記す）の電圧はローレベルとなる。ここで、ゼロクロス信号の電圧は、抵抗Ｒ８とフォトカプラＰＣ１の二次側トランジスタのコレクタ端子との接続点における電位であり、ゼロクロス信号は制御部１に出力される。制御部１は入力されているゼロクロス信号がハイレベルからローレベルに変化する立ち下りエッジを検知する。
【００２９】
ニュートラルラインの電位がライブラインの電位より高い場合、抵抗Ｒ９、抵抗Ｒ１１、抵抗Ｒ１０を介してニュートラルラインからライブラインの方向に電流が流れる。このため、フォトカプラＰＣ１の一次側ダイオードには電流が流れない状態となる。フォトカプラＰＣ１の一次側ダイオードに電流が流れない状態となると、フォトカプラＰＣ１の二次側トランジスタは非導通状態となる。フォトカプラＰＣ１の二次側トランジスタが非導通状態となると、ゼロクロス信号は抵抗Ｒ８を介して直流電圧Ｖ１にプルアップされているため、ハイレベルとなる。制御部１は、ゼロクロス信号がローレベルからハイレベルに変化する立ち上がりエッジを検知する。
【００３０】
（ヒータへの電力供給）
双方向サイリスタ（以下、トライアックという）Ｑ３は、ヒータＲＨ１への電力供給手段である。トライアックＱ３の駆動方法について説明する。抵抗Ｒ３、Ｒ４はトライアックＱ３を駆動するための抵抗で、フォトトライアックカプラＳＳＲ１は一次・二次間の沿面距離を確保するための素子である。トランジスタＱ４は、ベース端子に制御部１が接続され、コレクタ端子にフォトトライアックカプラＳＳＲ１の二次側ダイオードのカソード端子が接続され、エミッタ端子は接地されている。
【００３１】
制御部１がＱ４駆動信号をハイレベルにすることで、抵抗Ｒ５を介してトランジスタＱ４のベース端子に電流が流れ、トランジスタＱ４が導通状態となる。トランジスタＱ４が導通状態となると直流電圧Ｖ１から抵抗Ｒ２を介してフォトトライアックカプラＳＳＲ１の二次側ダイオードに電流が流れ、フォトトライアックカプラＳＳＲ１の一次側トライアックが導通状態となる。抵抗Ｒ６はトランジスタＱ４のベース−エミッタ間の抵抗である。フォトトライアックカプラＳＳＲ１の一次側トライアックが導通状態になると、トライアックＱ３が導通状態となり、電力供給装置２００からヒータＲＨ１へ電力が供給される。
【００３２】
また、制御部１がＱ４駆動信号をローレベルにすることで、トランジスタＱ４のベース端子に電流が流れなくなり、トランジスタＱ４が非導通状態となる。トランジスタＱ４が非導通状態となるとフォトトライアックカプラＳＳＲ１の二次側ダイオードに電流が流れず、フォトトライアックカプラＳＳＲ１の一次側トライアックが非導通状態となる。フォトトライアックカプラＳＳＲ１の一次側トライアックが非導通状態となると、トライアックＱ３が非導通状態となり、電力供給装置２００からヒータＲＨ１への電力供給が遮断される。コイルＬ１はヒータＲＨ１への伝送経路のノーマルノイズを抑制するための素子である。
【００３３】
（スリープ状態）
次に、プリント動作等を行わない低消費電力状態であるスリープ状態について説明する。画像形成装置１０がスリープ状態となっているとき、リレーＲＬ１及びリレーＲＬ２は非導通状態である。リレーＲＬ１及びリレーＲＬ２が非導通状態であるため、ゼロクロス検知回路２０４の一次側やＸコンデンサＣ１に流れる電流は遮断され、電力供給装置２００の消費電力を抑えることができる。スリープ状態では、フォトカプラＰＣ１の二次側トランジスタが常に非導通状態となるため、ゼロクロス信号は常にハイレベルとなる。
【００３４】
（スタンバイ状態）
プリント動作等をすぐに行うことができるスタンバイ状態の回路動作について説明する。制御部１は、ユーザからのプリント要求があると、リレーＲＬ１及びリレーＲＬ２を導通状態とする。このスタンバイ状態では、ゼロクロス検知回路２０４やＸコンデンサＣ１に電力が供給されるため、電力供給装置２００の消費電力は大きくなる。
【００３５】
（プリント状態）
プリント動作を行うプリント状態の回路動作について説明する。制御部１は、ユーザからのプリント要求に応じて、プリント状態への移行を待機しているスタンバイ状態からプリント状態に移行する。なお、リレーＲＬ１及びリレーＲＬ２は導通状態である。このため、フォトカプラＰＣ１は供給される交流電圧に応じて導通／非導通を繰り返しており、ゼロクロス検知回路２０４から出力されるゼロクロス信号は、ハイレベル／ローレベルを繰り返している。プリント状態において制御部１がトライアックＱ３を制御することで、ヒータＲＨ１へ供給する電力の制御を行い、プリント動作が行われる。
【００３６】
ここで、制御部１によるトライアックＱ３の制御について説明する。制御部１は、ヒータＲＨ１の温度、ヒータＲＨ１に流れる電流量、交流電源２０１のゼロクロスに基づき、トライアックＱ３を用いて、ヒータＲＨ１に供給する電力を制御している。ここで、ヒータＲＨ１の温度は、サーミスタＴＨ１によって検知される。ヒータＲＨ１に流れる電流量は、電流検知回路２０３によって検知される。交流電源２０１のゼロクロスは、ゼロクロス検知回路２０４によって検知される。
【００３７】
サーミスタＴＨ１によって検知されるヒータＲＨ１の温度は、サーミスタＴＨ１と抵抗Ｒ７との分圧がＴＨ信号として制御部１に入力されている。制御部１の内部処理では、サーミスタＴＨ１の検知温度とヒータＲＨ１の設定温度及びヒータＲＨ１に流れる電流量に基づき、例えばＰＩ制御により、ヒータＲＨ１に供給されるべき電力デューティが算出される。更に、制御部１は、供給されるべき電力デューティを位相角（位相制御）、波数（波数制御）等の制御レベルに換算し、換算した制御条件によりトライアックＱ３を制御している。
【００３８】
［リレーの制御シーケンス］
本実施例の制御部１によるリレーＲＬ１及びリレーＲＬ２の制御シーケンスを選択する処理（以下、選択処理という）について説明する。制御部１は、起動シーケンスと停止シーケンスの両方を合わせたリレー制御シーケンスを実行することが可能である。ここで、起動シーケンスは、スリープ状態からスタンバイ状態に移行する際に、リレーの制御を行うシーケンスである。また、停止シーケンスは、スタンバイ状態からスリープ状態に移行する際に、リレーの制御を行うシーケンスである。本実施例のリレー制御シーケンスには、第一リレー制御シーケンスと第二リレー制御シーケンスの２つのシーケンスがあり、制御部１は２つのリレー制御シーケンスを実行することが可能である。
【００３９】
第一リレー制御シーケンスは、第一起動シーケンス及び第一停止シーケンスにより構成されている。第一起動シーケンスは、リレーＲＬ１の故障検知を行うとともに、リレーＲＬ２を導通状態にした後にリレーＲＬ１を導通状態にする。第一停止シーケンスは、リレーＲＬ１の故障検知を行うとともに、リレーＲＬ１を非導通状態にした後にリレーＲＬ２を非導通状態にする。
【００４０】
第二リレー制御シーケンスは、第二起動シーケンス及び第二停止シーケンスにより構成されている。第二起動シーケンスは、リレーＲＬ２の故障検知を行うとともに、リレーＲＬ１を導通状態にした後にリレーＲＬ２を導通状態にする。第二停止シーケンスは、リレーＲＬ２の故障検知を行うとともに、リレーＲＬ２を非導通状態にした後にリレーＲＬ１を非導通状態にする。ただし、第一リレー制御シーケンスが第一起動シーケンスと第二停止シーケンスを行い、第二リレー制御シーケンスが第二起動シーケンスと第一停止シーケンスを行う構成としてもよい。ただし、本実施例の組み合わせで行うことにより、リレーの接点にアークが発生した後に、そのリレーの故障を検知できるため、より安全性が高まる。
【００４１】
尚、非導通状態のままで導通状態にならないリレーのオープン故障については通常の動作で故障を検知することができ、導通状態のままで非導通状態にならないショート故障は故障検知動作を行わなければ故障を検知することができない。また、画像形成装置の安全性にも関わるため、本実施例では、リレーのショート故障を検知する方法について説明し、以下、故障とはリレーのショート故障を意味することとする。
【００４２】
制御部１は、実行したリレー制御シーケンスを記憶する不揮発性メモリ１ｄを有している。制御部１は、不揮発性メモリ１ｄに記憶された情報に基づいて、直近に実行したリレー制御シーケンスが第二リレー制御シーケンスの場合は第一リレー制御シーケンスを選択する。一方、直近に実行したリレー制御シーケンスが第一リレー制御シーケンスの場合は第二リレー制御シーケンスを選択する。
【００４３】
（第一リレー制御シーケンス）
図３は本実施例のリレー制御シーケンスの説明図である。図３（Ａ）に第一リレー制御シーケンスを、図３（Ｂ）に第二リレー制御シーケンスを示す。また、図３（Ａ）、図３（Ｂ）ともに、（ａ）にはそれぞれの起動シーケンスを、（ｂ）にはそれぞれの停止シーケンスを示す。図３には、図２で説明した回路図で、リレー制御シーケンスにかかわる主要な構成のみを図示している。
【００４４】
（第一起動シーケンス）
第一リレー制御シーケンスの第一起動シーケンスについて説明する。図３（Ａ）（ａ）の３−１−０はスリープ状態であり、リレーＲＬ１、リレーＲＬ２及びトライアックＱ３は非導通状態である。制御部１は、スタンバイ状態への移行要求があると第一起動シーケンスを行う。制御部１がＱ２駆動信号をハイレベルとすることで、リレーＲＬ２を導通状態にし、図３（Ａ）（ａ）の３−１−１のリレーＲＬ１の故障検知を行うための状態にする。制御部１がＱ４駆動信号をハイレベルとすることで、トライアックＱ３を導通状態にし、図３（Ａ）（ａ）の３−１−２の状態となる。
【００４５】
３−１−２の状態で、ヒータＲＨ１への伝送ラインに流れる電流量を電流検知回路２０３で検知することによってリレーＲＬ１の故障の有無を検知する。具体的には、リレーＲＬ１が故障している場合は、図３（Ａ）（ａ）の３−１−２の破線矢印で示す電流経路が形成されるため、カレントトランスＣＴ１に電流が流れる。制御部１は、３−１−２の状態で電流検知回路２０３により電流が流れていることを検知した場合は、リレーＲＬ１が故障している（故障有り）と判断する。その後、制御部１がＱ４駆動信号をローレベルとすることで、トライアックＱ３を非導通状態にしたのち、Ｑ２駆動信号をローレベルとすることで、リレーＲＬ２を非導通状態にして図３（Ａ）（ｂ）の３−１−８の状態となる。
【００４６】
また、図３（Ａ）（ａ）の３−１−２の状態で、電流検知回路２０３により電流が流れていないことを検知した場合は、制御部１はリレーＲＬ１が故障していない（故障無し）と判断する。制御部１は、Ｑ４駆動信号をローレベルとすることで、トライアックＱ３を非導通状態にしたのち、Ｑ１駆動信号をハイレベルとすることでリレーＲＬ１を導通状態にして、図３（Ａ）（ａ）の３−１−３のスタンバイ状態になる。このときＸコンデンサＣ１への突入電流が流れ、リレーＲＬ１の接点にアークが発生し、リレーＲＬ１の接点にストレスが加わる。これ以降、制御部１は、ユーザからのプリント要求を受信すると、スタンバイ状態からプリント状態に移行して、プリント動作を行う。
【００４７】
（第一停止シーケンス）
第一リレー制御シーケンスの第一停止シーケンスについて説明する。図３（Ａ）（ｂ）の３−１−４はスタンバイ状態であり、制御部１は、スリープ状態への移行要求があると第一停止シーケンスを行う。制御部１がＱ１駆動信号をローレベルとすることでリレーＲＬ１を非導通状態にし、図３（Ａ）（ｂ）の３−１−５のリレーＲＬ１の故障検知を行うための状態にする。このとき、リレーＲＬ１の接点にはアークが発生する。次に制御部１がＱ４駆動信号をハイレベルとすることでトライアックＱ３を導通状態にし、図３（Ａ）（ｂ）の３−１−６の状態となる。この状態で再びリレーＲＬ１の故障検知を行う。
【００４８】
電流検知回路２０３で検知した電流量に基づきリレーＲＬ１が故障していると判断すると、制御部１が全ての駆動信号をローレベルとする。なお、リレーＲＬ１が故障している場合には、破線に示す経路で電流が流れることとなる。制御部１が全てのトランジスタの駆動信号をローレベルとすることで、トライアックＱ３とリレーＲＬ１及びリレーＲＬ２を非導通状態にし、図３（Ａ）（ｂ）の３−１−８の状態となる。また、リレーＲＬ１が故障していないと判断すると、制御部１がＱ４駆動信号をローレベルとすることで、トライアックＱ３を非導通状態にし、図３（Ａ）（ｂ）の３−１−７の状態になる。その後、制御部１はリレーＲＬ２を非導通状態にして、図３（Ａ）（ｂ）の３−１−８の状態となる。
【００４９】
（第二リレー制御シーケンス）
同様にして第二リレー制御シーケンスについて説明する。第二リレー制御シーケンスでは、図３（Ｂ）（ａ）の３−２−０のスリープ状態において、スタンバイ状態への移行要求があると、制御部１は図３（Ｂ）（ａ）の３−２−１乃至３−２−３の第二起動シーケンスを行う。なお、図３（Ｂ）（ａ）の３−２−３で、リレーＲＬ２の接点にはアークが発生する。また、図３（Ｂ）（ｂ）の３−２−４のスタンバイ状態において、スリープ状態への移行要求があると、制御部１は図３（Ｂ）（ｂ）の３−２−５乃至３−２−８の第二停止シーケンスを行う。なお、図３（Ｂ）（ｂ）の３−２−５で、リレーＲＬ２の接点にはアークが発生する。
【００５０】
また第一リレー制御シーケンスでは、リレーＲＬ１の故障検知を行ったのに対し、第二リレー制御シーケンスでは、リレーＲＬ２の故障検知を行う。リレーＲＬ２の故障検知方法とリレーＲＬ２が故障していると判断した場合の処理は、第一リレー制御シーケンスと同様のため説明を省略する。なお、リレーＲＬ２が故障している場合には、図３（Ｂ）（ａ）の３−２−２や図３（Ｂ）（ｂ）の３−２−６に破線矢印で示すような経路で電流が流れる。更に、図３（Ｂ）（ａ）の３−２−３に示すように、第二リレー制御シーケンスでは、ＸコンデンサＣ１への突入電流でリレーＲＬ２の接点にアークが発生し、リレーＲＬ２の接点にストレスが加わる。このように、リレーの故障検知を行う際には、制御部１は、故障検知を行う方のリレーを非導通状態としておき、故障検知を行わない方のリレーを導通状態としておく。また、起動シーケンスでは、全てのリレーの中で最後に導通状態としたリレー（故障検知を行った方のリレー）の接点にはアークが発生する。更に、停止シーケンスでは、全てのリレーの中で最初に非導通状態としたリレー（故障検知を行った方のリレー）の接点にはアークが発生する。
【００５１】
［リレー制御処理］
図４は制御部１による本実施例のリレー制御シーケンスのフローチャートである。不図示の電源スイッチ等が押下されて電源がオンし初期動作が実行された後、制御部１はステップ（以下、Ｓとする）４００１以下の処理を開始する。Ｓ４００１で制御部１は、画像形成装置１０をスリープ状態とする。Ｓ４００２で制御部１は、ユーザからプリント要求等を受信したことによるスタンバイ状態への移行の要求（以下、スタンバイ移行要求という）があるか否かを判断する。Ｓ４００２で制御部１は、スタンバイ移行要求がないと判断した場合には、Ｓ４００１の処理に戻る。即ち、この間、画像形成装置１０のスリープ状態が継続される。Ｓ４００２で制御部１は、スタンバイ移行要求があったと判断した場合、Ｓ４００３の処理に進む。
【００５２】
Ｓ４００３で制御部１は、不揮発性メモリ１ｄに記憶されている情報に基づいて、直近（例えば、前回）実行したリレー制御シーケンスが第一リレー制御シーケンスであったか否かを判断する。Ｓ４００３で制御部１は、前回実行したリレー制御シーケンスが第一リレー制御シーケンスであったと判断した場合は、Ｓ４１０４の処理に進む。一方、Ｓ４００３で制御部１は、前回実行したリレー制御シーケンスが第一リレー制御シーケンスではなかった、即ち前回実行したリレー制御シーケンスが第二リレー制御シーケンスであったと判断した場合は、Ｓ４００４の処理に進む。
【００５３】
Ｓ４００４で制御部１は、第一リレー制御シーケンスを実行する。このように、本実施例では、前回実行したリレー制御シーケンスが、リレーＲＬ２の故障検知を行う第二リレー制御シーケンスであった場合には、リレー制御シーケンスをリレーＲＬ１の故障検知を行う第一リレー制御シーケンスに切り替える。制御部１は、第一リレー制御シーケンスの第一起動シーケンスを実行し、リレーＲＬ１が故障しているか否かを判断する。Ｓ４００４で制御部１は、リレーＲＬ１が故障していると判断した場合は、Ｓ４０１３の処理に進む。Ｓ４０１３で制御部１は、不図示の表示用ディスプレイや不図示の接続されている外部機器（例えば、パーソナルコンピュータ（ＰＣ））のディスプレイ上に、リレーＲＬ１が故障している旨（故障状態）を報知し、Ｓ４０１０の処理に進む。一方、Ｓ４００４で制御部１は、リレーＲＬ１は故障していないと判断した場合は、Ｓ４００５の処理に進む。
【００５４】
Ｓ４１０４で制御部１は、第二リレー制御シーケンスを実行する。このように、本実施例では、前回実行したリレー制御シーケンスが、リレーＲＬ１の故障検知を行う第一リレー制御シーケンスであった場合には、リレー制御シーケンスをリレーＲＬ２の故障検知を行う第二リレー制御シーケンスに切り替える。制御部１は、第二リレー制御シーケンスの第二起動シーケンスを実行し、リレーＲＬ２が故障しているか否かを判断する。Ｓ４１０４で制御部１は、リレーＲＬ２が故障していると判断した場合は、Ｓ４０１３の処理に進む。一方、Ｓ４１０４で制御部１は、リレーＲＬ２は故障していないと判断した場合は、Ｓ４００５の処理に進む。
【００５５】
Ｓ４００５で制御部１は、現在制御部１が実行しているリレー制御シーケンスの情報を不揮発性メモリ１ｄに記憶する。Ｓ４００６で制御部１は、画像形成装置１０をスリープ状態からスタンバイ状態に移行させる（図３（Ａ）（ａ）３−１−３、図３（Ｂ）（ａ）３−２−３）。画像形成装置１０がスタンバイ状態に移行すると、ユーザからのプリント要求が発生した場合、スタンバイ状態から更にプリント状態に移行して、制御部１はプリント動作を行う。
【００５６】
Ｓ４００７で制御部１は、スタンバイ状態からスリープ状態に移行する要求（以下、スリープ移行要求という）を受信したか否かを判断する。Ｓ４００７で制御部１は、スリープ移行要求を受信したと判断した場合は、Ｓ４００８の処理に進む。Ｓ４００７で制御部１は、スリープ移行要求を受信していないと判断した場合には、Ｓ４００６の処理に戻り、画像形成装置１０のスタンバイ状態を継続する。
【００５７】
Ｓ４００８で制御部１は、Ｓ４００５で記憶した不揮発性メモリ１ｄの情報を参照することにより、現在実行しているリレー制御シーケンスが、第一リレー制御シーケンスであるか否かを判断する。Ｓ４００８で制御部１は、現在実行しているリレー制御シーケンスが第一リレー制御シーケンスであると判断した場合は、Ｓ４００９の処理に進む。一方、Ｓ４００８で制御部１は、現在実行しているリレー制御シーケンスが第一リレー制御シーケンスではない、即ち、第二リレー制御シーケンスであると判断した場合は、Ｓ４１０９の処理に進む。
【００５８】
Ｓ４００９で制御部１は、第一リレー制御シーケンスの第一停止シーケンスを実行し、リレーＲＬ１が故障しているか否かを判断する。Ｓ４００９で制御部１は、リレーＲＬ１が故障していると判断した場合は、Ｓ４０１３の処理に進む。一方、Ｓ４００９で制御部１は、リレーＲＬ１は故障していないと判断した場合は、Ｓ４０１０の処理に進む。Ｓ４１０９で制御部１は、第二リレー制御シーケンスの第二停止シーケンスを実行し、リレーＲＬ２が故障しているか否かを判断する。Ｓ４１０９で制御部１は、リレーＲＬ２が故障していると判断した場合は、Ｓ４０１３の処理に進む。一方、Ｓ４１０９で制御部１は、リレーＲＬ２は故障していないと判断した場合は、Ｓ４０１０の処理に進む。
【００５９】
Ｓ４０１０で制御部１は、画像形成装置１０を停止させるように指示する要求（以下、停止要求という）があるか否かを判断する。Ｓ４０１０で制御部１は、リレーの故障やユーザの操作により画像形成装置１０の停止要求があると判断した場合は、Ｓ４０１１の処理に進む。Ｓ４０１０で制御部１は、画像形成装置１０の停止要求がないと判断した場合は、Ｓ４００１の処理に戻る、即ち、画像形成装置１０をスタンバイ状態からスリープ状態に移行させる。Ｓ４０１１で制御部１は、画像形成装置１０を停止させて処理を終了し、画像形成装置１０の電源はオフ状態となる。
【００６０】
このように、本実施例では、不揮発性メモリ１ｄに前回実行したリレー制御シーケンスを記憶しておき、前回実行したリレー制御シーケンスと異なるリレー制御シーケンスを実行する構成とする。このように、制御部１は、リレー制御シーケンスを実行する際に、リレーの開閉順を選択的に切り替えるように制御する。なお、本実施例では、起動シーケンスが終了したタイミングのみで、不揮発性メモリ１ｄにリレー制御シーケンスの情報を記憶している（図４  Ｓ４００５）。しかし、起動シーケンスが終了したタイミングで、不揮発性メモリ１ｄにどの起動シーケンスが実行されたかの情報を記憶し、停止シーケンスが終了したタイミングで不揮発性メモリ１ｄにどの停止シーケンスが実行されたかの情報を、別途記憶してもよい。そして、起動シーケンス、停止シーケンスの各々で不揮発性メモリ１ｄに記憶された情報に基づき、記憶された起動シーケンス又は記憶された停止シーケンスとは異なる起動シーケンス又は停止シーケンスを実行するようにしてもよい。
【００６１】
［リレーの故障検知の他の実施例］
本実施例では、電流検知回路２０３を用いてヒータＲＨ１への電流検知を行うことでリレーの故障検知を行っているが、ヒータＲＨ１の伝送ライン間に印加される電圧の有無を検知することによってリレーの故障検知を行うこともできる。例えば、電圧検知トランスやゼロクロス検知回路２０４やその他の電圧を検知する手段によってリレーの故障検知を行うことができる。例えばゼロクロス検知回路２０４を用いる場合、電流検知の場合と同様に、リレーＲＬ１とリレーＲＬ２の何れか一方を導通状態にし、もう一方のリレーの故障検知をゼロクロス検知回路２０４から出力されるゼロクロス信号によるゼロクロス検知によって行う。故障検知を行わない側のリレーを導通状態とし、トライアックＱ３を導通状態としたとき、故障検知を行う側のリレーが正常な場合はヒータＲＨ１の伝送ライン間に電圧が印加されない。そのため、抵抗Ｒ１０に電流が流れずゼロクロス信号がハイレベルのままである。
【００６２】
一方、故障検知を行う側のリレーが故障していた場合には、ヒータＲＨ１の伝送ライン間に交流電圧が印加される。そのため、ニュートラルラインの電位がライブラインの電位より低くなったときに、抵抗Ｒ１０に電流が流れゼロクロス信号がローレベルとなる。リレーが故障していた場合には、ゼロクロス信号はハイレベルとローレベルを繰り返すため、制御部１は少なくとも交流電圧の半周期以上の時間、ゼロクロス信号を監視する。制御部１は、ゼロクロス検知回路２０４から入力されたゼロクロス信号がハイレベルからローレベルに変化する信号の立ち下りエッジを検知する。このように、制御部１は、ゼロクロス信号の立ち下がりエッジを検知することで、リレーの故障を判断することができる。
【００６３】
また、本実施例では、リレー制御シーケンスで起動シーケンスと停止シーケンスを行うとともにリレーＲＬ１又はリレーＲＬ２の故障検知を実行することについて説明した。しかし、リレーの故障検知を実行しない起動シーケンス及び停止シーケンスとしても、同様の効果を得ることができる。この場合、制御部１は、図４のＳ４００４、Ｓ４１０４、Ｓ４００９、Ｓ４１０９ではトライアックＱ３を非導通状態とし、リレーＲＬ１やリレーＲＬ２の故障検知の判断は行わず、それぞれの起動シーケンス又は停止シーケンスのみを実行する。このような構成でも、立ち上げ毎又は停止毎に選択的にリレーの開閉順を切り替えることができる。これにより、リレーの接点に発生するアークによるストレスを分散できるため、リレーの故障検知を行う場合と同様の効果が期待できる。同様に、故障検知を起動シーケンス及び停止シーケンスのいずれか片方だけ行う場合若しくは、故障検知を起動時又は停止時だけ行うようにしても、リレーの開閉順を選択的に切り替える制御を行わない場合に比べてリレーの接点にかかるストレスを分散できる。
【００６４】
本実施例の電力供給装置２００では、第一リレー制御シーケンスと第二リレー制御シーケンスを交互に行うため、接点にアークが発生するリレーも交互に切り替わる。そのため、１つのリレーの接点にアークが発生する頻度が減り、リレー接点にかかるストレスを低減することができ、リレーの寿命を延ばすことができる。
【００６５】
尚、本実施例では、不揮発性メモリ１ｄに記憶された情報に基づいて直近に実行したリレー制御シーケンスの内容を確認している。そして、直近に実行したリレー制御シーケンスに基づいて、第一のリレーと第二のリレーに対する接続又は開閉順番を交互に制御する構成としている。しかし、上述した不揮発性メモリ１ｄに記憶される情報は、直近に実行したリレー制御シーケンスのみに限定されるものではなく、所定の範囲における履歴内容に基づいて制御する構成としても同様の効果が得られる。即ち、過去に実行した複数回のリレー制御シーケンスに基づいて、これから実行するリレー制御シーケンスを決定する構成としてもよい。更に、不揮発性メモリ１ｄに記憶された情報に基づき第一のリレーと第二のリレーに対する接続又は開閉順序を、必ずしも交互にすることに限定されるものではない。例えば、履歴記憶手段に記憶された所定の範囲における履歴内容から画像形成装置１０の稼働状況を判断し、第一のリレーと第二のリレーに対する接続又は開閉順序を、所定回数毎（例えば、３回ずつ等）に交互に制御する場合でも同様の効果が得られる。
【００６６】
本実施例の電力供給装置２００では、第一リレー制御シーケンスでリレーＲＬ１の故障検知を行い、第二リレー制御シーケンスでリレーＲＬ２の故障検知を行う。このため、画像形成装置１０がスリープ状態からスタンバイ状態に移行する際又はスタンバイ状態からスリープ状態に移行する際に、故障検知を行うリレーは１つになる。そのため、リレーＲＬ１とリレーＲＬ２の両方の故障検知を一度に行う方法と比べて、リレーの故障検知に要する時間も短縮できる。また、リレーＲＬ１とリレーＲＬ２の両方の故障検知を一度に行う方法と比べて、リレーの駆動回数を減らすことができ、リレーの故障検知がリレーの寿命に与える影響を低減できる。
【００６７】
以上、本実施例によれば、１つのリレーの接点にアークが発生する頻度を低減させて、リレーの寿命を延ばすことができる。
【実施例２】
【００６８】
［電源供給装置］
図５は実施例２の電力供給装置５００の説明図を示している。実施例１と同様の構成については同一符号を付けて説明を省略する。交流電源２０１の伝送ラインの一方であるライブラインにリレーＲＬ１（第一のリレー）とリレーＲＬ３（第三のリレー）が直列に接続されている。１つのラインに２つのリレーを直列に接続することによって、一方のリレーが融着等した場合でも、他方のリレーによってオン／オフすることができる。また、電流を流し続けることで、リレーの融着を解消することができる場合もある。本実施例では、このように直列に接続された２つのリレーの起動又は停止シーケンスについて説明する。ここで、トランジスタＱ５はリレーＲＬ３の駆動回路であり、制御部１により制御を行う。
【００６９】
なお、トランジスタＱ５は、ベース端子に制御部１が接続され、コレクタ端子にリレーＲＬ３が接続され、エミッタ端子が接地されている。制御部１は、トランジスタＱ５のベース端子にハイレベル又はローレベルのＱ５駆動信号を出力することにより、トランジスタＱ５の導通又は非導通を制御する。なお、リレーＲＬ３は、ニュートラルライン側のリレーＲＬ２に直列に接続する構成としてもよい。
【００７０】
［ゼロクロス検知回路］
交流電源２０１のゼロクロス検知手段として用いるゼロクロス検知回路２０６について説明する。ゼロクロス検知回路２０６は、交流電源２０１の交流電圧のゼロクロス点を検知する。本実施例では、ゼロクロス検知回路２０６が後述する第一のリレー及び第二のリレーとの伝送ライン間の電位差を検知する状態検知手段としての機能も果たしている。交流電源２０１から供給されるニュートラルラインの電位がライブラインの電位より高い場合、抵抗Ｒ１５を介してゼロクロス検知回路２０６に電流が流れる。抵抗Ｒ１５から供給された電流が、ゼロクロス検知回路２０６のトランジスタＱ７のベース端子に流れると、トランジスタＱ７が導通状態となる。なお、トランジスタＱ７は、ベース端子に抵抗Ｒ１５が接続され、コレクタ端子にフォトカプラＰＣ２の一次側ダイオードのアノード端子が接続され、エミッタ端子にフォトカプラＰＣ２の一次側ダイオードのカソード端子が接続されている。
【００７１】
抵抗Ｒ１３及びコンデンサＣ４はトランジスタＱ７の動作タイミングの調整に用いている。トランジスタＱ７が導通状態となると、フォトカプラＰＣ２の一次側ダイオードのアノード端子に印加される電圧が低下し、フォトカプラＰＣ２の二次側トランジスタは非導通状態となる。フォトカプラＰＣ２の二次側トランジスタが非導通状態となると、直流電圧Ｖ１によって、プルアップ抵抗Ｒ１６を介して、ゼロクロス信号の電圧が上昇し、ゼロクロス信号はハイレベルとなり、制御部１はゼロクロス信号の立ち上がりエッジを検知する。
【００７２】
また、ニュートラルラインの電位がライブラインの電位より低い場合、抵抗Ｒ１５には電流が流れないため、トランジスタＱ７は非導通状態となる。トランジスタＱ７が非導通状態となると、フォトカプラＰＣ２の一次側ダイオードには、不図示の補助巻線から供給される補助巻線電圧Ｖ２からプルアップ抵抗Ｒ１４を介して電流が流れるため、フォトカプラＰＣ２の二次側トランジスタは導通状態となる。フォトカプラＰＣ２の二次側トランジスタが導通状態となると、ゼロクロス信号はローレベルとなり、制御部１はゼロクロス信号の立ち下りエッジを検知する。
【００７３】
［リレー制御シーケンス］
本実施例の制御部１によるリレー制御シーケンス選択処理について説明する。制御部１は、起動シーケンスと、停止シーケンスの両方を合わせた、リレー制御シーケンスを実行する。ここで、起動シーケンスは、スリープ状態からスタンバイ状態に移行する際に、リレーの制御を行う。停止シーケンスは、スタンバイ状態からスリープ状態に移行する際に、リレーの制御を行う。本実施例のリレー制御シーケンスは、第三リレー制御シーケンス、第四リレー制御シーケンス及び第五リレー制御シーケンスの３つである。第三リレー制御シーケンスは、第三起動シーケンスと第三停止シーケンスで構成されている。第三起動シーケンスは、リレーＲＬ１の故障検知を行うとともに、リレーＲＬ２及びリレーＲＬ３を導通状態にした後、リレーＲＬ１を導通状態にする。第三停止シーケンスは、リレーＲＬ１の故障検知を行うとともに、リレーＲＬ１を非導通状態にした後リレーＲＬ２及びリレーＲＬ３を非導通状態にする。
【００７４】
第四リレー制御シーケンスは、第四起動シーケンスと第四停止シーケンスで構成されている。第四起動シーケンスは、リレーＲＬ２の故障検知を行うとともに、リレーＲＬ１及びリレーＲＬ３を導通状態にした後、リレーＲＬ２を導通状態にする。第四停止シーケンスは、リレーＲＬ２の故障検知を行うとともに、リレーＲＬ２を非導通状態にした後、リレーＲＬ１及びリレーＲＬ３を非導通状態にする。第五リレー制御シーケンスは、第五起動シーケンスと第五停止シーケンスで構成されている。第五起動シーケンスは、リレーＲＬ３の故障検知を行うとともに、リレーＲＬ１及びリレーＲＬ２を導通状態にした後、リレーＲＬ３を導通状態にする。第五停止シーケンスは、リレーＲＬ３の故障検知を行うとともに、リレーＲＬ３を非導通状態にした後、リレーＲＬ１及びリレーＲＬ２を非導通状態にする。ただし、各起動シーケンスと停止シーケンスの組み合わせは、どの組み合わせで制御を行う場合でも実施例１で説明したように同等の効果を得ることができる。
【００７５】
電力供給装置５００の制御部１は、不揮発性メモリ１ｄに記憶された情報に基づき、直近に実行したリレー制御シーケンスが第五リレー制御シーケンスだった場合は第三リレー制御シーケンスを選択する。また制御部１は、不揮発性メモリ１ｄに記憶された情報に基づき、直近に実行したリレー制御シーケンスが第三リレー制御シーケンスだった場合は第四リレー制御シーケンスを選択する。更に制御部１は、不揮発性メモリ１ｄに記憶された情報に基づき、直近に実行したリレー制御シーケンスが第四リレー制御シーケンスだった場合は第五リレー制御シーケンスを選択する。
【００７６】
［リレー制御処理］
図６は本実施例のリレー制御シーケンスの説明図である。図６（Ａ）は第三リレー制御シーケンスを、図６（Ｂ）は第四リレー制御シーケンスを、図６（Ｃ）は第五リレー制御シーケンスを示す。また、図６（Ａ）〜図６（Ｃ）では、（ａ）にはそれぞれの起動シーケンスを、（ｂ）にはそれぞれの停止シーケンスを示す。図６には、図５で説明した回路図で、リレー制御シーケンスにかかわる主要な構成のみを図示している。
【００７７】
（第三リレー制御シーケンス）
（第三起動シーケンス）
図６（Ａ）（ａ）は、第三リレー制御シーケンスの第三起動シーケンスを示す図である。図６（Ａ）（ａ）の６−１−０はスリープ状態であり、リレーＲＬ１、リレーＲＬ２、リレーＲＬ３及びトライアックＱ３は非導通状態である。制御部１は、スタンバイ状態への移行要求があると第三起動シーケンスを行う。制御部１がＱ５駆動信号をハイレベルとすることで、リレーＲＬ３を導通状態にし、図６（Ａ）（ａ）の６−１−１のリレーＲＬ１の故障検知を行うための状態にする。
【００７８】
次に制御部１がＱ４駆動信号をハイレベルとすることで、トライアックＱ３を導通状態にし、図６（Ａ）（ａ）の６−１−２の状態となる。このときにゼロクロス検知回路２０６から出力されるゼロクロス信号に基づいて、制御部１はリレーＲＬ１の故障の有無を判断する。具体的には、リレーＲＬ１が故障している場合は、図６（Ａ）（ａ）の６−１−２の破線矢印で示す電流経路で電流が流れる。制御部１は、電流経路が形成されたゼロクロス検知回路２０６の出力状態により、リレーＲＬ１が故障している（故障有り）と判断する。リレーＲＬ１が故障している場合には、制御部１がＱ１、Ｑ２、Ｑ４、Ｑ５駆動信号を全てローレベルとすることで、全てのリレーとトライアックＱ３を非導通状態にして図６（Ａ）（ｂ）の６−１−８の状態となる。
【００７９】
また、制御部１は、リレーＲＬ１が故障していない（故障無し）と判断した場合には、Ｑ４駆動信号をローレベルとすることでトライアックＱ３を非導通状態にする。その後Ｑ２駆動信号をハイレベルとすることで、リレーＲＬ２を導通状態にしたのち、Ｑ１駆動信号をハイレベルとすることで、リレーＲＬ１を導通状態にして、図６（Ａ）（ａ）の６−１−３のスタンバイ状態になる。このときＸコンデンサＣ１への突入電流が流れてリレーＲＬ１の接点にアークが発生し、リレーＲＬ１の接点にストレスが加わる。これ以降、ユーザからのプリント要求が発生したらプリント状態に移行しプリント動作を行う。
【００８０】
（第三停止シーケンス）
次に第三リレー制御シーケンスの第三停止シーケンスについて説明する。図６（Ａ）（ｂ）の６−１−４はスタンバイ状態であり、スリープ状態への移行要求があると、第三停止シーケンスを行う。制御部１がＱ１駆動信号をローレベルとすることで、リレーＲＬ１を非導通状態にし、図６（Ａ）（ｂ）の６−１−５の状態にする。このとき、リレーＲＬ１の接点にはアークが発生する。その後、制御部１がＱ２駆動信号をローレベルとすることでリレーＲＬ２を非導通状態にし、図６（Ａ）（ｂ）の６−１−６のリレーＲＬ１の故障検知を行うための状態にする。次に制御部１がＱ４駆動信号をハイレベルとすることでトライアックＱ３を導通状態にし、図６（Ａ）（ｂ）の６−１−７の状態となる。この状態で再びリレーＲＬ１の故障検知を行う。なお、リレーＲＬ１が故障している場合には、図６（Ａ）（ｂ）の６−１−７の破線で示す電流経路で電流が流れる。
【００８１】
制御部１は、リレーＲＬ１が故障していると判断すると、Ｑ１、Ｑ２、Ｑ４、Ｑ５駆動信号を全てローレベルとすることで、トライアックＱ３と全てのリレーを非導通状態にして図６（Ａ）（ｂ）の６−１−８の状態となる。また、リレーＲＬ１が故障していないと判断した場合には、Ｑ４駆動信号をローレベルとすることで、トライアックＱ３を非導通状態にする。その後Ｑ５駆動信号をローレベルとすることで、リレーＲＬ３を非導通状態にして図６（Ａ）（ｂ）の６−１−８の状態となりスリープ状態に移行する。
【００８２】
（第四リレー制御シーケンス）
次に第四リレー制御シーケンスについて説明する。第四リレー制御シーケンスでは図６（Ｂ）（ａ）の６−２−０に示すスリープ状態において、スタンバイ状態への移行要求があると、図６（Ｂ）（ａ）の６−２−１乃至６−２−３の第四起動シーケンスを行う。なお、リレーＲＬ２の故障検知を行う際には、図６（Ｂ）（ａ）の６−２−１に示すように、Ｑ１駆動信号によりリレーＲＬ１を、Ｑ５駆動信号によりリレーＲＬ３を、それぞれ導通状態とする。また、リレーＲＬ２が故障しているとき、図６（Ｂ）（ａ）の６−２−２に破線で示すような電流経路で電流が流れる。なお、リレーＲＬ２が故障している場合には、トライアックＱ３を非導通状態としたままでも、図に示すような電流経路が形成される。リレーＲＬ２が故障していないとき、図６（Ｂ）（ａ）の６−２−３に示すように、制御部１はＱ２駆動信号によりリレーＲＬ２を導通状態とする。このとき、リレーＲＬ２の接点にはアークが発生する。
【００８３】
また、図６（Ｂ）（ｂ）の６−２−４に示すスタンバイ状態において、スリープ状態への移行要求があると、制御部１は図６（Ｂ）（ｂ）の６−２−５乃至６−２−６の第四停止シーケンスを行う。なお、リレーＲＬ２の故障検知を行う際には、図６（Ｂ）（ｂ）の６−２−５に示すように、Ｑ２駆動信号によりリレーＲＬ２を非導通状態とする。このとき、リレーＲＬ２の接点にはアークが発生する。また、リレーＲＬ２が故障しているとき、図６（Ｂ）（ｂ）の６−２−５の破線矢印で示す電流経路で電流が流れる。なお、リレーＲＬ２が故障している場合には、トライアックＱ３を非導通状態としたままでも、図に示すような電流経路が形成される。このように、第四リレー制御シーケンスでは、ゼロクロス検知回路２０６を用いてリレーＲＬ２の故障検知を行う。
【００８４】
リレーＲＬ２が故障していると判断した場合の処理は、第三リレー制御シーケンスと同様のため説明を省略する。更に、図６（Ｂ）（ａ）の６−２−３に示すように、第四リレー制御シーケンスでは、ＸコンデンサＣ１への突入電流でリレーＲＬ２の接点にアークが発生し、リレーＲＬ２の接点にストレスが加わる。また、本実施例の第四リレー制御シーケンスでは、リレーＲＬ１及びリレーＲＬ３を導通状態にした状態でリレーＲＬ２の故障検知を行っているが、これはリレーの起動シーケンスも兼ねているためである。図６（Ｂ）（ａ）の６−２−２や図６（Ｂ）（ｂ）の６−２−５に示すように、破線で示す電流経路にリレーＲＬ１及びリレーＲＬ３が含まれないため、リレーＲＬ１及びリレーＲＬ３を非導通状態にした状態でリレーＲＬ２の故障検知を行ってもよい。なお、トライアックＱ３は全過程において非導通状態となっている。
【００８５】
（第五リレー制御シーケンス）
第五リレー制御シーケンスについて説明する。第五リレー制御シーケンスで図６（Ｃ）（ａ）の６−３−０に示すスリープ状態において、スタンバイ状態への移行要求があると、図６の６−３−１乃至６−３−３の第五起動シーケンスを行う。なお、リレーＲＬ３の故障検知を行う際には、図６（Ｃ）（ａ）の６−３−１に示すように、Ｑ１駆動信号によりリレーＲＬ１を導通状態とし、６−３−２に示すようにＱ４駆動信号によりトライアックＱ３を導通状態とする。また、リレーＲＬ３が故障しているとき、図６（Ｃ）（ａ）の６−３−２の破線で示す電流経路で電流が流れる。
【００８６】
また、図６（Ｃ）（ｂ）の６−３−４に示すスタンバイ状態において、スリープ状態への移行要求があると、制御部１は、図６（Ｃ）（ｂ）の６−３−５乃至６−３−８の第五停止シーケンスを行う。なお、リレーＲＬ３の故障検知を行う際には、図６（Ｃ）（ｂ）の６−３−５に示すように、Ｑ５駆動信号によりリレーＲＬ３を非導通状態とする。このとき、リレーＲＬ３の接点にはアークが発生する。また、６−３−６に示すように、Ｑ２駆動信号によりリレーＲＬ２を非導通状態とする。更に、図６（Ｃ）（ｂ）の６−３−７に示すようにＱ４駆動信号によりトライアックＱ３を導通状態とする。その他のリレーＲＬ３の故障検知方法とリレーＲＬ３が故障していると判断した場合の処理は、第三リレー制御シーケンスと同様のため説明を省略する。更に、第五リレー制御シーケンスでは、図６（Ｃ）（ａ）の６−３−３に示すように、ＸコンデンサＣ１への突入電流でリレーＲＬ３の接点にアークが発生し、リレーＲＬ３の接点にストレスが加わる。
【００８７】
［リレー制御の選択処理］
図７は制御部１による本実施例のリレー制御シーケンスを説明するフローチャートである。実施例１と同様の処理については同一のステップ番号を付けて説明を省略する。Ｓ４００２で制御部１は、スタンバイ移行要求があったと判断した場合、Ｓ７００３の処理に進む。Ｓ７００３で制御部１は、不揮発性メモリ１ｄに記憶された情報に基づき直近に実行したリレー制御シーケンスが第五リレー制御シーケンスであったか否かを判断する。Ｓ７００３で制御部１は、直近に実行したリレー制御シーケンスが第五リレー制御シーケンスでなかったと判断した場合はＳ７１０３の処理に進む。Ｓ７００３で制御部１は、直近に実行したリレー制御シーケンスが第五リレー制御シーケンスであったと判断した場合は、Ｓ７００４の処理に進む。
【００８８】
Ｓ７１０３で制御部１は、不揮発性メモリ１ｄに記憶された情報に基づき直近に実行したリレー制御シーケンスが第三リレー制御シーケンスであったか否かを判断する。Ｓ７１０３で制御部１は、直近に実行したリレー制御シーケンスが第三リレー制御シーケンスであったと判断した場合はＳ７１０４の処理に進む。Ｓ７１０３で制御部１は、直近に実行したリレー制御シーケンスが第三リレー制御シーケンスではなかったと判断した場合には、Ｓ７２０４の処理に進む。Ｓ７００４で制御部１は、第三起動シーケンスを実行してリレーＲＬ１の故障検知を行い、リレーＲＬ１が故障しているか否かを判断する。Ｓ７００４で制御部１は、リレーＲＬ１が故障していると判断した場合は、Ｓ４０１３の処理に進む。一方、Ｓ７００４で制御部１は、リレーＲＬ１が故障していないと判断した場合は、Ｓ４００５の処理に進む。
【００８９】
Ｓ７１０４で制御部１は、第四起動シーケンスを実行し、リレーＲＬ２の故障検知を行い、リレーＲＬ２が故障しているか否かを判断する。Ｓ７１０４で制御部１は、リレーＲＬ２が故障していると判断した場合は、Ｓ４０１３の処理に進む。一方、Ｓ７１０４で制御部１は、リレーＲＬ２が故障していないと判断した場合は、Ｓ４００５の処理に進む。Ｓ７２０４で制御部１は、第五起動シーケンスを実行し、リレーＲＬ３の故障検知を行い、リレーＲＬ３が故障しているか否かを判断する。Ｓ７２０４で制御部１は、リレーＲＬ３が故障していると判断した場合は、Ｓ４０１３の処理に進む。一方、Ｓ７２０４で制御部１は、リレーＲＬ３が故障していないと判断した場合は、Ｓ４００５の処理に進む。
【００９０】
次に、スタンバイ状態からスリープ状態に移行したＳ７００８で制御部１は、Ｓ４００５で不揮発性メモリ１ｄに記憶した現在実行しているリレー制御シーケンスが第三リレー制御シーケンスであるか否かを判断する。Ｓ７００８で制御部１は、第三リレー制御シーケンスを実行していると判断した場合はＳ７００９の処理に進み、第三リレー制御シーケンスを実行していないと判断した場合は、Ｓ７１０８の処理に進む。Ｓ７１０８で制御部１は、現在実行しているリレー制御シーケンスが第四リレー制御シーケンスであるか否かを判断する。Ｓ７１０８で制御部１は、第四リレー制御シーケンスを実行していると判断した場合は、Ｓ７１０９の処理に進み、第四リレー制御シーケンスを実行していないと判断した場合は、Ｓ７２０９の処理に進む。
【００９１】
Ｓ７００９で制御部１は、第三停止シーケンスを実行してリレーＲＬ１の故障検知を行い、リレーＲＬ１が故障しているか否かを判断する。Ｓ７００９で制御部１は、リレーＲＬ１が故障していると判断した場合には、Ｓ４０１３の処理に進む。Ｓ７００９で制御部１は、リレーＲＬ１が故障していないと判断した場合は、Ｓ４０１０の処理に進む。Ｓ７１０９で制御部１は、第四停止シーケンスを実行し、リレーＲＬ２の故障検知を行い、リレーＲＬ２が故障しているか否かを判断する。Ｓ７１０９で制御部１は、リレーＲＬ２が故障していると判断した場合は、Ｓ４０１３の処理に進み、リレーＲＬ２が故障していないと判断した場合は、Ｓ４０１０の処理に進む。Ｓ７２０９で制御部１は、第五停止シーケンスを実行し、リレーＲＬ３の故障検知を行い、リレーＲＬ３が故障しているか否かを判断する。Ｓ７２０９で制御部１は、リレーＲＬ３が故障していると判断した場合は、Ｓ４０１３の処理に進み、リレーＲＬ３が故障していないと判断した場合は、Ｓ４０１０の処理に進む。
【００９２】
以上のように、本実施例では、３つのリレーを組み合わせて用いることにより、リレーの接点にアークが発生する頻度がリレー毎に分散されるため、２つのリレーを用いる場合よりもリレーの接点に加わるストレスを低減することができる。従って、更に、リレーの長寿命化を図ることが期待できる。尚、実施例１及び実施例２で説明したリレーの個数や接続形態は一例であり、リレーの個数や接続形態は上述した形態に限定されるものではない。商用電源から負荷装置への伝送ラインにおけるライブ側とニュートラル側に、少なくとも一つの第一のリレー及び第二のリレーを備えている実施形態であれば、本実施例で説明した構成を適用できる。また、リレー制御シーケンスを組み合わせることにより、実施例で説明した形態にかかわらずリレーの接点に発生するアークによるストレスを分散して軽減させる様々な形態が考えられる。更に、実施例１と同様に、各リレー制御シーケンス中で各リレーの故障検知を実行しない構成としてもよい。この場合、トライアックＱ３は非導通状態とする。
【００９３】
以上、本実施例によれば、１つのリレーの接点にアークが発生する頻度を低減させて、リレーの寿命を延ばすことができる。
【符号の説明】
【００９４】
１        制御部
１ｄ      不揮発性メモリ
２００    電力供給装置
ＲＬ１、ＲＬ２  リレー
【図１】
2016073015.tif 000003
【図２】
2016073015.tif 000004
【図３】
2016073015.tif 000005
【図４】
2016073015.tif 000006
【図５】
2016073015.tif 000007
【図６】
2016073015.tif 000008
【図７】
2016073015.tif 000009